(57)【要約】【課題】  適切な位置にミシン目を形成することができる画像形成システムおよびミシン目形成プログラムを提供する。【解決手段】  画像形成装置は、画像における特定のパターンに応じて画像に対するミシン目の配置を自動で設定し（Ｓ１０２）、画像と、画像に対する配置をＳ１０２において自動で設定したミシン目とのプレビューを表示部によって実行し（Ｓ１０３）、操作部に入力された操作に応じて画像に対するミシン目の配置を決定し（Ｓ１０４）、画像をプリンターによって記録媒体に印刷し（Ｓ１０５）、画像に対する配置をＳ１０４において決定したミシン目をミシン目カッター装置によって記録媒体に形成し（Ｓ１０６）、Ｓ１０４の処理は、Ｓ１０３において実行したプレビューにおいて、操作部に入力された操作に応じて画像に対するミシン目の配置を変更可能であることを特徴とする。【選択図】  図４
2019081318.tif 000002
【特許請求の範囲】
【請求項１】
操作が入力される入力デバイスと、
情報を表示する表示デバイスと、
記録媒体に画像を印刷する印刷デバイスと、
前記記録媒体にミシン目を形成するミシン目形成デバイスと、
前記画像における特定のパターンに応じて前記画像に対する前記ミシン目の配置を自動で設定するミシン目配置自動設定手段と、
前記画像、および、前記画像に対する配置が前記ミシン目配置自動設定手段によって自動で設定された前記ミシン目のプレビューを前記表示デバイスによって実行するプレビュー実行手段と、
前記入力デバイスに入力された操作に応じて前記画像に対する前記ミシン目の配置を決定するミシン目配置決定手段と、
前記画像に対する配置が前記ミシン目配置決定手段によって決定された前記ミシン目を前記ミシン目形成デバイスによって前記記録媒体に形成させるミシン目形成手段と
を備え、
前記ミシン目配置決定手段は、前記プレビュー実行手段によって実行されたプレビューにおいて、前記入力デバイスに入力された操作に応じて前記画像に対する前記ミシン目の配置を変更可能であることを特徴とする画像形成システム。
【請求項２】
前記ミシン目配置自動設定手段は、前記特定のパターンの指定を受け付けることを特徴とする請求項１に記載の画像形成システム。
【請求項３】
前記ミシン目配置自動設定手段は、前記記録媒体のうち前記ミシン目が自動で配置される領域の指定を受け付け、指定を受け付けた領域に、前記画像に対する前記ミシン目の配置を自動で設定することを特徴とする請求項１または請求項２に記載の画像形成システム。
【請求項４】
操作が入力される入力デバイスと、
情報を表示する表示デバイスと、
記録媒体に画像を印刷する印刷デバイスと、
前記記録媒体にミシン目を形成するミシン目形成デバイスと
を備える画像形成装置に、
前記画像における特定のパターンに応じて前記画像に対する前記ミシン目の配置を自動で設定するミシン目配置自動設定手段と、
前記画像、および、前記画像に対する配置が前記ミシン目配置自動設定手段によって自動で設定された前記ミシン目のプレビューを前記表示デバイスによって実行するプレビュー実行手段と、
前記入力デバイスに入力された操作に応じて前記画像に対する前記ミシン目の配置を決定するミシン目配置決定手段と、
前記画像に対する配置が前記ミシン目配置決定手段によって決定された前記ミシン目を前記ミシン目形成デバイスによって前記記録媒体に形成させるミシン目形成手段と
を実現させ、
前記ミシン目配置決定手段は、前記プレビュー実行手段によって実行されたプレビューにおいて、前記入力デバイスに入力された操作に応じて前記画像に対する前記ミシン目の配置を変更可能であることを特徴とするミシン目形成プログラム。
【発明の詳細な説明】
【技術分野】
【０００１】
本発明は、記録媒体に画像を印刷するとともにミシン目を形成する画像形成システムおよびミシン目形成プログラムに関する。
【背景技術】
【０００２】
従来、記録媒体に画像を印刷するとともにミシン目を形成する画像形成システムとして、記録媒体に印刷される画像における余白の大きさに応じて記録媒体にミシン目を自動で形成するファクシミリ装置（例えば、特許文献１参照。）と、記録媒体に印刷される画像における１点鎖線または２点鎖線の位置にミシン目を自動で形成する印刷装置（例えば、特許文献２参照。）とが知られている。特許文献１または特許文献２に記載された画像形成システムは、記録媒体に印刷される画像における特定のパターンに応じて記録媒体にミシン目を自動で形成するので、記録媒体に対するミシン目の位置を利用者が手動で設定する構成と比較して、利便性を向上することができる。
【先行技術文献】
【特許文献】
【０００３】
【特許文献１】特開平７−０７９３１４号公報
【特許文献２】特開２００５−１４４８９４号公報
【発明の概要】
【発明が解決しようとする課題】
【０００４】
しかしながら、特許文献１または特許文献２に記載された画像形成システムにおいては、記録媒体に印刷される画像における特定のパターンに応じて記録媒体にミシン目が自動で形成されるので、利用者が希望する位置にミシン目が形成されなかったり、利用者が希望しない位置にミシン目が形成されたりする可能性があるという問題がある。
【０００５】
そこで、本発明は、適切な位置にミシン目を形成することができる画像形成システムおよびミシン目形成プログラムを提供することを目的とする。
【課題を解決するための手段】
【０００６】
本発明の画像形成システムは、操作が入力される入力デバイスと、情報を表示する表示デバイスと、記録媒体に画像を印刷する印刷デバイスと、前記記録媒体にミシン目を形成するミシン目形成デバイスと、前記画像における特定のパターンに応じて前記画像に対する前記ミシン目の配置を自動で設定するミシン目配置自動設定手段と、前記画像、および、前記画像に対する配置が前記ミシン目配置自動設定手段によって自動で設定された前記ミシン目のプレビューを前記表示デバイスによって実行するプレビュー実行手段と、前記入力デバイスに入力された操作に応じて前記画像に対する前記ミシン目の配置を決定するミシン目配置決定手段と、前記画像に対する配置が前記ミシン目配置決定手段によって決定された前記ミシン目を前記ミシン目形成デバイスによって前記記録媒体に形成させるミシン目形成手段とを備え、前記ミシン目配置決定手段は、前記プレビュー実行手段によって実行されたプレビューにおいて、前記入力デバイスに入力された操作に応じて前記画像に対する前記ミシン目の配置を変更可能であることを特徴とする。
【０００７】
この構成により、本発明の画像形成システムは、画像における特定のパターンに応じて画像に対するミシン目の配置を自動で設定した後、画像に対するミシン目の配置をプレビューにおいて変更可能であるので、適切な位置にミシン目を形成することができる。
【０００８】
本発明の画像形成システムにおいて、前記ミシン目配置自動設定手段は、前記特定のパターンの指定を受け付けても良い。
【０００９】
この構成により、本発明の画像形成システムは、画像に対するミシン目の配置を自動で設定するための、画像における特定のパターンの指定を受け付けることによって、画像に対して自動で設定するミシン目の配置を変更可能であるので、画像に対するミシン目の配置をプレビューにおいて変更する手間を抑えることができる。
【００１０】
本発明の画像形成システムにおいて、前記ミシン目配置自動設定手段は、前記記録媒体のうち前記ミシン目が自動で配置される領域の指定を受け付け、指定を受け付けた領域に、前記画像に対する前記ミシン目の配置を自動で設定しても良い。
【００１１】
この構成により、本発明の画像形成システムは、記録媒体のうちミシン目が自動で配置される領域の指定を受け付けるので、画像に対するミシン目の配置をプレビューにおいて変更する手間を抑えることができる。
【００１２】
本発明のミシン目形成プログラムは、操作が入力される入力デバイスと、情報を表示する表示デバイスと、記録媒体に画像を印刷する印刷デバイスと、前記記録媒体にミシン目を形成するミシン目形成デバイスとを備える画像形成装置に、前記画像における特定のパターンに応じて前記画像に対する前記ミシン目の配置を自動で設定するミシン目配置自動設定手段と、前記画像、および、前記画像に対する配置が前記ミシン目配置自動設定手段によって自動で設定された前記ミシン目のプレビューを前記表示デバイスによって実行するプレビュー実行手段と、前記入力デバイスに入力された操作に応じて前記画像に対する前記ミシン目の配置を決定するミシン目配置決定手段と、前記画像に対する配置が前記ミシン目配置決定手段によって決定された前記ミシン目を前記ミシン目形成デバイスによって前記記録媒体に形成させるミシン目形成手段とを実現させ、前記ミシン目配置決定手段は、前記プレビュー実行手段によって実行されたプレビューにおいて、前記入力デバイスに入力された操作に応じて前記画像に対する前記ミシン目の配置を変更可能であることを特徴とする。
【００１３】
この構成により、本発明のミシン目形成プログラムを実行する画像形成装置は、画像における特定のパターンに応じて画像に対するミシン目の配置を自動で設定した後、画像に対するミシン目の配置をプレビューにおいて変更可能であるので、適切な位置にミシン目を形成することができる。
【発明の効果】
【００１４】
本発明の画像形成システムおよびミシン目形成プログラムは、適切な位置にミシン目を形成することができる。
【図面の簡単な説明】
【００１５】
【図１】本発明の一実施の形態に係るシステムのブロック図である。
【図２】ＭＦＰである場合の、図１に示す画像形成装置のブロック図である。
【図３】図１に示すコンピューターのブロック図である。
【図４】通信部を介して受信した印刷データに基づいて記録媒体に画像を印刷するとともにミシン目を形成する場合の、図２に示す画像形成装置の動作のフローチャートである。
【図５】（ａ）図４に示す動作によって生成された画像の一例を示す図である。  （ｂ）図５（ａ）に示す画像に対して配置されたミシン目の一例を示す図である。
【図６】（ａ）図４に示す動作によって生成された画像の、図５に示す例とは異なる一例を示す図である。  （ｂ）図６（ａ）に示す画像に対して配置されたミシン目の一例を示す図である。
【図７】図４に示す動作によって使用されるミシン目自動配置対象領域の一例を示す図である。
【図８】スキャナーによって原稿から読み取った画像を記録媒体に印刷するとともにミシン目を形成する場合の、図２に示す画像形成装置の動作のフローチャートである。
【図９】ファックス通信部によって受信したファックスデータに基づいて記録媒体に画像を印刷するとともにミシン目を形成する場合の、図２に示す画像形成装置の動作のフローチャートである。
【発明を実施するための形態】
【００１６】
以下、本発明の実施の形態について、図面を用いて説明する。
【００１７】
まず、本発明の一実施の形態に係るシステムの構成について説明する。
【００１８】
図１は、本実施の形態に係るシステム１０のブロック図である。
【００１９】
図１に示すように、システム１０は、画像形成装置２０と、ＬＡＮ（Ｌｏｃａｌ  Ａｒｅａ  Ｎｅｔｗｏｒｋ）、インターネットなどのネットワーク経由で、または、ネットワークを介さずに有線または無線によって直接に、画像形成装置２０と通信可能なコンピューター３０とを備えている。
【００２０】
画像形成装置２０は、例えば、ＭＦＰ（Ｍｕｌｔｉｆｕｎｃｔｉｏｎ  Ｐｅｒｉｐｈｅｒａｌ）、プリンター専用機、コピー専用機、ファックス専用機である。
【００２１】
コンピューター３０は、例えば、ＰＣ（Ｐｅｒｓｏｎａｌ  Ｃｏｍｐｕｔｅｒ）によって構成されても良い。
【００２２】
図２は、ＭＦＰである場合の画像形成装置２０のブロック図である。
【００２３】
図２に示す画像形成装置２０は、種々の操作が入力される例えばボタンなどの入力デバイスである操作部２１と、種々の情報を表示する例えばＬＣＤ（Ｌｉｑｕｉｄ  Ｃｒｙｓｔａｌ  Ｄｉｓｐｌａｙ）などの表示デバイスである表示部２２と、用紙などの記録媒体に画像を印刷する印刷デバイスであるプリンター２３と、原稿から画像を読み取る読取デバイスであるスキャナー２４と、図示していない外部のファクシミリ装置と公衆電話回線などの通信回線経由でファックス通信を行うファックスデバイスであるファックス通信部２５と、ＬＡＮ、インターネットなどのネットワーク経由で、または、ネットワークを介さずに有線または無線によって直接に、外部の装置と通信を行う通信デバイスである通信部２６と、記録媒体にミシン目を形成するミシン目形成デバイスとしてのミシン目カッター装置２７と、各種の情報を記憶する例えば半導体メモリー、ＨＤＤ（Ｈａｒｄ  Ｄｉｓｋ  Ｄｒｉｖｅ）などの不揮発性の記憶デバイスである記憶部２８と、画像形成装置２０全体を制御する制御部２９とを備えている。
【００２４】
記憶部２８は、ミシン目形成プログラム２８ａを記憶している。ミシン目形成プログラム２８ａは、例えば、画像形成装置２０の製造段階で画像形成装置２０にインストールされていても良いし、ＵＳＢ（Ｕｎｉｖｅｒｓａｌ  Ｓｅｒｉａｌ  Ｂｕｓ）メモリーなどの外部の記憶媒体から画像形成装置２０に追加でインストールされても良いし、ネットワーク上から画像形成装置２０に追加でインストールされても良い。
【００２５】
制御部２９は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２８に記憶されているプログラムを実行する。
【００２６】
制御部２９は、ミシン目形成プログラム２８ａを実行することによって、画像における特定のパターンに応じて画像に対するミシン目の配置を自動で設定するミシン目配置自動設定手段２９ａと、画像、および、画像に対する配置がミシン目配置自動設定手段２９ａによって自動で設定されたミシン目のプレビューを表示部２２によって実行するプレビュー実行手段２９ｂと、操作部２１に入力された操作に応じて画像に対するミシン目の配置を決定するミシン目配置決定手段２９ｃと、画像に対する配置がミシン目配置決定手段２９ｃによって決定されたミシン目をミシン目カッター装置２７によって記録媒体に形成させるミシン目形成手段２９ｄとを実現する。
【００２７】
図３は、コンピューター３０のブロック図である。
【００２８】
図３に示すコンピューター３０は、種々の操作が入力される例えばキーボード、マウスなどの入力デバイスである操作部３１と、種々の情報を表示する例えばＬＣＤなどの表示デバイスである表示部３２と、ＬＡＮ、インターネットなどのネットワーク経由で、または、ネットワークを介さずに有線または無線によって直接に、外部の装置と通信を行う通信デバイスである通信部３３と、各種の情報を記憶する例えば半導体メモリー、ＨＤＤなどの不揮発性の記憶デバイスである記憶部３４と、コンピューター３０全体を制御する制御部３５とを備えている。
【００２９】
制御部３５は、例えば、ＣＰＵと、プログラムおよび各種のデータを記憶しているＲＯＭと、ＣＰＵの作業領域として用いられるＲＡＭとを備えている。ＣＰＵは、ＲＯＭまたは記憶部３４に記憶されているプログラムを実行する。
【００３０】
次に、システム１０の動作について説明する。
【００３１】
まず、通信部２６を介して受信した印刷データに基づいて記録媒体に画像を印刷するとともにミシン目を形成する場合の画像形成装置２０の動作について説明する。
【００３２】
図４は、通信部２６を介して受信した印刷データに基づいて記録媒体に画像を印刷するとともにミシン目を形成する場合の画像形成装置２０の動作のフローチャートである。
【００３３】
利用者は、コンピューター３０を操作することによって、コンピューター３０によって画像形成装置２０に印刷データを送信させることができる。画像形成装置２０の制御部２９は、通信部２６を介して印刷データを受信すると、図４に示す動作を開始する。
【００３４】
図４に示すように、制御部２９は、プリンター２３によって記録媒体に印刷させる画像を、通信部２６を介して受信した印刷データに基づいて生成する（Ｓ１０１）。
【００３５】
次いで、ミシン目配置自動設定手段２９ａは、Ｓ１０１において生成された画像における特定のパターンに応じて画像に対するミシン目の配置を自動で設定する（Ｓ１０２）。
【００３６】
ここで、ミシン目の配置を自動で設定するための、画像における特定のパターンとしては、破線、１点鎖線、２点鎖線などの特定の種類の線や、余白などが考えられる。例えば、ミシン目配置自動設定手段２９ａは、図５（ａ）に示すように画像４０に破線４１が含まれている場合、図５（ｂ）に示すように破線４１上にミシン目４２を自動で配置することができる。また、ミシン目配置自動設定手段２９ａは、図６（ａ）に示すように、特定の幅以上の幅５１ａの余白５１と、特定の幅以上の幅５２ａの余白５２と、特定の幅以上の幅５３ａの余白５３と、特定の幅以上の幅５４ａの余白５４とが画像５０に含まれている場合、図６（ｂ）に示すように余白５１、５２、５３、５４の中心線上にミシン目５５を自動で配置することができる。特に、余白が帯状（又は矩形）の場合、ミシン目配置自動設定手段２９ａは、余白の長手方向に延びる中心線上にミシン目を配置することができる。ミシン目の配置を自動で設定するための特定のパターンが特定の種類の線の場合、ミシン目配置自動設定手段２９ａは、Ｓ１０２の処理において、ミシン目に対応する特定の種類の線を画像から消去しても良い。
【００３７】
ミシン目配置自動設定手段２９ａは、画像に、どのようなパターンが含まれている場合に、このパターンに対してどの位置にミシン目を自動で配置するかについて、様々な方法によって指定されることが可能である。例えば、ミシン目配置自動設定手段２９ａは、画像に、どのようなパターンが含まれている場合に、このパターンに対してどの位置にミシン目を自動で配置するかについて、印刷データにおいてプリンター言語によって指定されても良いし、通信部２６を介して印刷データを受信する時点より前に操作部２１を介して指定されていても良い。
【００３８】
また、ミシン目配置自動設定手段２９ａは、図７に示すように記録媒体６０のうちミシン目が自動で配置される領域（以下「ミシン目自動配置対象領域」という。）６１についても、様々な方法によって指定されることが可能である。例えば、ミシン目配置自動設定手段２９ａは、ミシン目自動配置対象領域６１について、印刷データにおいてプリンター言語によって指定されても良いし、通信部２６を介して印刷データを受信する時点より前に操作部２１を介して指定されていても良い。ミシン目配置自動設定手段２９ａは、記録媒体のうちミシン目自動配置対象領域６１に印刷される画像に特定のパターンが含まれている場合に、このパターンに対して指定されている位置にミシン目の配置を自動で設定するが、記録媒体のうちミシン目自動配置対象領域６１以外の領域に印刷される画像に特定のパターンが含まれている場合には、このパターンに対するミシン目を自動で配置しない。
【００３９】
図４に示すように、プレビュー実行手段２９ｂは、Ｓ１０２の処理の後、Ｓ１０１において生成された画像と、この画像に対する配置がＳ１０２において自動で設定されたミシン目とのプレビューを表示部２２によって実行する（Ｓ１０３）。なお、プレビュー実行手段２９ｂは、Ｓ１０３の処理において表示部２２に表示されるプレビューにおいて、Ｓ１０１において生成された画像を表す線と、ミシン目を表す線とを区別して表示する。例えば、プレビュー実行手段２９ｂは、Ｓ１０３の処理において表示部２２に表示されるプレビューにおいて、ミシン目を表す線を点滅させることによって、画像を表す線と区別しても良い。
【００４０】
ミシン目配置決定手段２９ｃは、Ｓ１０３の処理の後、Ｓ１０１において生成された画像に対するミシン目の配置を、操作部２１に入力された操作に応じて決定する（Ｓ１０４）。ここで、ミシン目配置決定手段２９ｃは、Ｓ１０１において生成された画像に対するミシン目の配置を、Ｓ１０３において実行されたプレビューにおいて変更可能である。例えば、ミシン目配置決定手段２９ｃは、Ｓ１０１において生成された画像に対してＳ１０２において自動で配置が設定されたミシン目の位置を操作部２１に入力された操作に応じて変更したり、Ｓ１０１において生成された画像に対してＳ１０２において自動で配置が設定されたミシン目を操作部２１に入力された操作に応じて削除したり、Ｓ１０１において生成された画像に対して新たにミシン目を操作部２１に入力された操作に応じて配置したりすることができる。ここで、ミシン目の配置を自動で設定するための特定のパターンが特定の種類の線の場合、ミシン目の位置が変更されると、ミシン目配置決定手段２９は、ミシン目に対応する特定の種類の線を画像から消去しても良いし、ミシン目が変更された位置に移動させた画像を生成しても良い。
【００４１】
制御部２９は、Ｓ１０４の処理の後、Ｓ１０１において生成された画像をプリンター２３によって記録媒体に印刷する（Ｓ１０５）。
【００４２】
次いで、ミシン目形成手段２９ｄは、Ｓ１０５において画像が印刷された記録媒体に、画像に対する配置がＳ１０４において決定されたミシン目を、ミシン目カッター装置２７によって形成させて（Ｓ１０６）、図４に示す動作を終了する。
【００４３】
なお、図４に示す動作において、制御部２９は、操作部２１を介して入力される操作を受け付ける代わりに、コンピューター３０の操作部３１を介してコンピューター３０に入力されてコンピューター３０から通信部２６経由で画像形成装置２０に入力される操作を受け付けても良い。同様に、制御部２９は、プレビューを表示部２２によって実行する代わりに、プレビューのためのデータを画像形成装置２０から通信部２６経由でコンピューター３０に出力することによってプレビューをコンピューター３０の表示部３２によって実行しても良い。
【００４４】
次に、スキャナー２４によって原稿から読み取った画像を記録媒体に印刷するとともにミシン目を形成する場合の画像形成装置２０の動作について説明する。
【００４５】
図８は、スキャナー２４によって原稿から読み取った画像を記録媒体に印刷するとともにミシン目を形成する場合の画像形成装置２０の動作のフローチャートである。
【００４６】
利用者は、画像形成装置２０の操作部２１を介して、画像形成装置２０にコピーの実行を指示することができる。画像形成装置２０の制御部２９は、操作部２１を介してコピーの実行が指示されると、図８に示す動作を開始する。
【００４７】
図８に示すように、制御部２９は、スキャナー２４によって原稿を読み取ることによって、スキャナー２４によって原稿から読み取った画像を生成する（Ｓ１２１）。
【００４８】
次いで、制御部２９は、図４に示すＳ１０２〜Ｓ１０６の処理と同様のＳ１２２〜Ｓ１２６の処理を実行して、図８に示す動作を終了する。
【００４９】
次に、ファックス通信部２５によって受信したファックスデータに基づいて記録媒体に画像を印刷するとともにミシン目を形成する場合の画像形成装置２０の動作について説明する。
【００５０】
図９は、ファックス通信部２５によって受信したファックスデータに基づいて記録媒体に画像を印刷するとともにミシン目を形成する場合の画像形成装置２０の動作のフローチャートである。
【００５１】
画像形成装置２０の制御部２９は、ファックス通信部２５によってファックスデータを受信すると、図９に示す動作を開始する。
【００５２】
図９に示すように、制御部２９は、プリンター２３によって記録媒体に印刷させる画像を、ファックス通信部２５によって受信されたファックスデータに基づいて生成する（Ｓ１４１）。
【００５３】
次いで、制御部２９は、図４に示すＳ１０２〜Ｓ１０６の処理と同様のＳ１４２〜Ｓ１４６の処理を実行して、図９に示す動作を終了する。
【００５４】
以上に説明したように、画像形成装置２０は、画像における特定のパターンに応じて画像に対するミシン目の配置を自動で設定した後（Ｓ１０２、Ｓ１２２またはＳ１４２）、画像に対するミシン目の配置をプレビューにおいて変更可能である（Ｓ１０４、Ｓ１２４またはＳ１４４）ので、適切な位置にミシン目を形成することができる。
【００５５】
画像形成装置２０は、画像に対するミシン目の配置を自動で設定するための、画像における特定のパターンの指定を受け付けることによって、画像に対して自動で設定するミシン目の配置を変更可能であるので、画像に対するミシン目の配置をプレビューにおいて変更する手間を抑えることができる。
【００５６】
画像形成装置２０は、記録媒体のうちミシン目が自動で配置されるミシン目自動配置対象領域６１の指定を受け付けるので、画像に対するミシン目の配置をプレビューにおいて変更する手間を抑えることができる。
【符号の説明】
【００５７】
１０  システム（画像形成システム）
２０  画像形成装置（画像形成システム）
２１  操作部（入力デバイス）
２２  表示部（表示デバイス）
２３  プリンター（印刷デバイス）
２７  ミシン目カッター装置（ミシン目形成デバイス）
２８ａ  ミシン目形成プログラム
２９ａ  ミシン目配置自動設定手段
２９ｂ  プレビュー実行手段
２９ｃ  ミシン目配置決定手段
２９ｄ  ミシン目形成手段
３１  操作部（入力デバイス）
３２  表示部（表示デバイス）
４０  画像
４１  破線（特定のパターン）
４２  ミシン目
５０  画像
５１、５２、５３、５４  余白（特定のパターン）
５５  ミシン目
６０  記録媒体
６１  ミシン目自動配置対象領域（記録媒体のうちミシン目が自動で配置される領域）
【図１】
2019081318.tif 000003
【図２】
2019081318.tif 000004
【図３】
2019081318.tif 000005
【図４】
2019081318.tif 000006
【図５】
2019081318.tif 000007
【図６】
2019081318.tif 000008
【図７】
2019081318.tif 000009
【図８】
2019081318.tif 000010
【図９】
2019081318.tif 000011